(57)【要約】      （修正有）【課題】ユーザの意図に反してファクスの受信を拒否してしまう状況を極力回避できるようにするファクシミリ装置を提供する。【解決手段】通知ファクス番号と受信許可リストに登録されている受信許可ファクス番号とを照合して一致又は不一致を判定する第一の判定と、登録ファクス番号と受信許可リストに登録されている受信許可ファクス番号とを照合して一致又は不一致を判定する第二の判定とを行い、第一の判定及び第二の判定の少なくとも一方で一致と判定した場合には相手先のファクシミリ装置とのファクス通信を継続してファクスの受信を行う一方で、第一の判定及び第二の判定の両方で不一致と判定した場合には相手先のファクシミリ装置とのファクス通信を終了してファクスの受信を拒否する。【選択図】図８
2020072353.tif 000002
【特許請求の範囲】
【請求項１】
ファクス通信前に、発信番号通知サービスにより通知される相手先のファクシミリ装置のファクス番号である通知ファクス番号を示す通知ファクス番号情報を受信し、前記ファクス通信時に、前記相手先のファクシミリ装置に登録されているファクス番号である登録ファクス番号を示す登録ファクス番号情報を受信する受信部と、
前記相手先のファクシミリ装置とファクス通信を行う制御部と、
ファクスの受信を許可するファクス番号である受信許可ファクス番号が登録された受信許可リストを記憶する記憶部と
を備え、
前記制御部は、
前記受信部により受信された前記通知ファクス番号情報が示す前記通知ファクス番号と前記受信許可リストに登録されている前記受信許可ファクス番号とを照合して一致又は不一致を判定する第一の判定と、前記受信部により受信された前記登録ファクス番号情報が示す前記登録ファクス番号と前記受信許可リストに登録されている前記受信許可ファクス番号とを照合して一致又は不一致を判定する第二の判定とを行い、前記第一の判定及び前記第二の判定の少なくとも一方で一致と判定した場合には前記相手先のファクシミリ装置とのファクス通信を継続してファクスの受信を行う一方で、前記第一の判定及び前記第二の判定の両方で不一致と判定した場合には前記相手先のファクシミリ装置とのファクス通信を終了してファクスの受信を拒否する
ことを特徴とするファクシミリ装置。
【請求項２】
表示部を備え、
前記制御部は、
ファクスの受信履歴を示す受信履歴情報を、前記第一の判定及び前記第二の判定のどちらか一方で不一致と判定した場合と、前記第一の判定及び前記第二の判定の両方で一致と判定した場合とで異なるようにして前記表示部に表示させる
ことを特徴とする請求項１に記載のファクシミリ装置。
【請求項３】
前記記憶部には、ファクスの受信を拒否するファクス番号である受信拒否ファクス番号が登録された受信拒否リストが記憶され、
前記制御部は、
前記第一の判定及び前記第二の判定の両方で不一致と判定した場合には、前記受信部により受信された前記通知ファクス番号情報が示す前記通知ファクス番号を、前記受信拒否ファクス番号として前記受信拒否リストに登録する
ことを特徴とする請求項２に記載のファクシミリ装置。
【請求項４】
前記制御部は、
前記第一の判定で不一致と判定した場合、前記受信部により受信された前記通知ファクス番号情報が示す前記通知ファクス番号と、前記受信拒否リストに登録されている前記受信拒否ファクス番号とを照合して一致又は不一致を判定する第三の判定を行い、前記第三の判定で不一致と判定した場合には前記第二の判定を行う一方で、前記第三の判定で一致と判定した場合には前記相手先のファクシミリ装置からのファクスの受信を拒否する
ことを特徴とする請求項３に記載のファクシミリ装置。
【請求項５】
前記制御部は、
前記受信履歴情報を、前記相手先のファクシミリ装置とのファクス通信を継続してファクスの受信を行った場合と、前記相手先のファクシミリ装置とのファクス通信を終了してファクスの受信を拒否した場合とで表示内容が異なるようにして前記表示部に表示させる
ことを特徴とする請求項３又は４に記載のファクシミリ装置。
【請求項６】
印刷部を備え、
前記制御部は、
前記受信履歴情報を、前記第一の判定及び前記第二の判定のどちらか一方で不一致と判定した場合と、前記第一の判定及び前記第二の判定の両方で一致と判定した場合とで異なるようにして前記印刷部により印刷媒体に印刷させる
ことを特徴とする請求項３又は４に記載のファクシミリ装置。
【請求項７】
印刷部を備え、
前記制御部は、
前記第一の判定及び前記第二の判定のどちらか一方で不一致と判定した場合、相手先のファクシミリ装置から受信したファクスの画像とともに、当該ファクスが迷惑ファクスの可能性がある旨を示す文字情報を、前記印刷部により印刷媒体に印刷させる
ことを特徴とする請求項３又は４に記載のファクシミリ装置。
【請求項８】
前記受信履歴情報には、少なくとも前記相手先のファクシミリ装置の前記通知ファクス番号が含まれていて、
前記制御部は、
前記受信履歴情報を前記表示部に表示させている状態で、当該受信履歴情報に含まれている前記通知ファクス番号を前記受信拒否リストに登録する操作がユーザにより行われると、当該受信履歴情報に含まれている前記通知ファクス番号を前記受信拒否ファクス番号として前記受信拒否リストに登録する
ことを特徴とする請求項３〜７のいずれかに記載のファクシミリ装置。
【請求項９】
前記受信履歴情報には、少なくとも前記相手先のファクシミリ装置の前記通知ファクス番号が含まれていて、
前記制御部は、
前記受信履歴情報を前記表示部に表示させている状態で、当該受信履歴情報に含まれている前記通知ファクス番号を前記受信許可リストに登録する操作がユーザにより行われると、当該受信履歴情報に含まれている前記通知ファクス番号を前記受信許可ファクス番号として前記受信許可リストに登録する
ことを特徴とする請求項３〜７のいずれかに記載のファクシミリ装置。
【発明の詳細な説明】
【技術分野】
【０００１】
本発明は、ファクシミリ装置に関するものであり、例えば発信番号通知サービスに対応するファクシミリ装置に適用して好適なものである。
【背景技術】
【０００２】
従来、発信番号通知サービスとして、ナンバーディスプレイが知られている。具体的に、ナンバーディスプレイでは、呼び出し信号の前に、ＩＴＵ−Ｔ  勧告Ｖ．２３に準拠した変調信号により発信元の電話番号（つまり電話をかけてきた相手の電話番号）を示す番号情報が公衆電話網から受信側の装置に送信されるようになっていて、ナンバーディスプレイに対応する受信側の装置では、公衆電話網から受信した番号情報に示されている電話番号（つまりナンバーディスプレイにより通知された相手の電話番号）を、例えば表示部に表示するようになっている。
【０００３】
また、ナンバーディスプレイに対応するファクシミリ装置として、あらかじめファクスの受信を許可する相手先の電話番号（つまりファクス番号）を受信許可リストに登録しておき、ナンバーディスプレイにより通知された相手先のファクス番号（これを通知ファクス番号と呼ぶ）と、受信許可リストに登録されているファクス番号（これを受信許可ファクス番号と呼ぶ）とを照合することで、特定の相手先以外からのファクスの受信を拒否できるようにした迷惑ファクス防止機能を備えるものが提案されている（例えば特許文献１参照）。尚、ファクスは、ファクシミリの略称であり、以降、適宜、この略称を使用する。
【先行技術文献】
【特許文献】
【０００４】
【特許文献１】特開２０００−３４９９９１号公報
【発明の概要】
【発明が解決しようとする課題】
【０００５】
ところで、通常、相手先のファクシミリ装置からファクスを受信する前にナンバーディスプレイにより通知される通知ファクス番号と、この相手先のファクシミリ装置へファクスを送信する際に使用するファクス番号（以下、これを使用ファクス番号と呼ぶ）とは、同一のファクス番号であり、従来の迷惑ファクス防止機能は、相手先のファクシミリ装置の通知ファクス番号と使用ファクス番号とが、同一のファクス番号である場合に限り、有効に機能する。
【０００６】
ちなみに、ファクシミリ装置は、本体に自機のファクス番号（これを登録ファクス番号と呼ぶ）が登録されている。この登録ファクス番号は、通常、使用ファクス番号と同一のファクス番号であり、ファクシミリ装置間でファクス通信を行う際に遣り取りされるようにもなっている。
【０００７】
一方で、例えば構内交換機（ＰＢＸ：Private Branch eXchange）に内線として収容されていて、発信専用のファクス番号を用いて発信するファクシミリ装置の場合、通知ファクス番号（つまり発信専用のファクス番号）と使用ファクス番号とが、違うファクス番号になる。
【０００８】
従来の迷惑ファクス防止機能を備えたファクシミリ装置では、相手先のファクシミリ装置の通知ファクス番号と使用ファクス番号とが異なる場合、ユーザがこのファクシミリ装置の使用ファクス番号を受信許可リストに登録して、このファクシミリ装置からのファクスの受信を許可しようとしても、このファクシミリ装置からファクスを受信する前に、受信許可リストに登録されている使用ファクス番号とは異なる通知ファクス番号が通知されてくることから、ファクスの受信を許可していないファクシミリ装置からのファクス受信であると認識して、このファクシミリ装置からのファクスの受信を拒否してしまう。
【０００９】
このように、従来の迷惑ファクス防止機能を備えたファクシミリ装置では、ユーザの意図に反してファクスの受信を拒否してしまうことがあるという問題を有していた。
【００１０】
本発明は以上の点を考慮したものであり、ユーザの意図に反してファクスの受信を拒否してしまう状況を極力回避できるようにしたファクシミリ装置を提案しようとするものである。
【課題を解決するための手段】
【００１１】
本発明は、ファクス通信前に、発信番号通知サービスにより通知される相手先のファクシミリ装置のファクス番号である通知ファクス番号を示す通知ファクス番号情報を受信し、前記ファクス通信時に、前記相手先のファクシミリ装置に登録されているファクス番号である登録ファクス番号を示す登録ファクス番号情報を受信する受信部と、前記相手先のファクシミリ装置とファクス通信を行う制御部と、ファクスの受信を許可するファクス番号である受信許可ファクス番号が登録された受信許可リストを記憶する記憶部とを備え、前記制御部は、前記受信部により受信された前記通知ファクス番号情報が示す前記通知ファクス番号と前記受信許可リストに登録されている前記受信許可ファクス番号とを照合して一致又は不一致を判定する第一の判定と、前記受信部により受信された前記登録ファクス番号情報が示す前記登録ファクス番号と前記受信許可リストに登録されている前記受信許可ファクス番号とを照合して一致又は不一致を判定する第二の判定とを行い、前記第一の判定及び前記第二の判定の少なくとも一方で一致と判定した場合には前記相手先のファクシミリ装置とのファクス通信を継続してファクスの受信を行う一方で、前記第一の判定及び前記第二の判定の両方で不一致と判定した場合には前記相手先のファクシミリ装置とのファクス通信を終了してファクスの受信を拒否するようにした。
【００１２】
これにより、相手先のファクシミリ装置が通知ファクス番号と使用ファクス番号とが異なるファクシミリ装置であったとしても、例えば、このファクシミリ装置の使用ファクス番号（登録ファクス番号と同一のファクス番号）が受信許可リストに登録されていれば、このファクシミリ装置からファクスの受信が可能となる。
【発明の効果】
【００１３】
本発明は、ユーザの意図に反してファクスの受信を拒否してしまう状況を極力回避できるようにしたファクシミリ装置を実現できる。
【図面の簡単な説明】
【００１４】
【図１】ファクシミリシステムの構成を示す図である。
【図２】ファクシミリ装置のハードウェア構成を示すブロック図である。
【図３】ファクシミリ装置のソフトウェア構成を示すブロック図である。
【図４】相手先情報格納エリアのデータ構成を示す図である。
【図５】通信履歴のデータ構成を示す図である。
【図６】受信許可リストと受信拒否リストのデータ構成を示す図である。
【図７】ファクスを受信するときの動作を示すフローチャートである。
【図８】図７に示すフローチャートつづくフローチャートである。
【図９】ファクシミリ装置に表示される画面の遷移を示す図である。
【図１０】受信履歴概要情報の構成を示す図である。
【図１１】受信履歴詳細情報の構成を示す図である。
【図１２】受信履歴詳細画面に表示される受信履歴詳細情報の例を示す図である。
【発明を実施するための形態】
【００１５】
以下、発明を実施するための形態（以下、これを実施の形態と呼ぶ）について、図面を用いて詳細に説明する。
【００１６】
［１．ファクシミリシステムの構成］
図１に、ファクシミリシステム１の構成の概略を示す。ファクシミリシステム１は、公衆電話網２を介して接続される複数のファクシミリ装置３（３Ａ〜３Ｄ）で構成される。図１では、一例として、４台のファクシミリ装置３（３Ａ〜３Ｄ）が公衆電話網２に接続されている。尚、ファクシミリ装置３Ｂについては、構内交換機であるＰＢＸ４に内線として収容されていて、このＰＢＸ４を介して公衆電話網２に接続されている。
【００１７】
ファクシミリ装置３Ａは、公衆電話網２を介して他のファクシミリ装置３（３Ｂ〜３Ｄ）と通信可能であり、他のファクシミリ装置３（３Ｂ〜３Ｄ）がこのファクシミリ装置３Ａへファクスを送信する際に使用するファクス番号（すなわち使用ファクス番号）が「１１１１」、このファクシミリ装置３Ａが他のファクシミリ装置３（３Ｂ〜３Ｄ）にファクスを送信する前にナンバーディスプレイにより通知されるファクス番号（すなわち通知ファクス番号）が「１１１１」、ファクシミリ装置３Ａに登録されていて他のファクシミリ装置３（３Ｂ〜３Ｄ）とファクス通信を行う際に遣り取りされるファクス番号（すなわち登録ファクス番号）が「１１１１」となっている。このファクシミリ装置３Ａのように、一般的なファクシミリ装置では、使用ファクス番号と通知ファクス番号と登録ファクス番号が、同一のファクス番号となる。
【００１８】
ファクシミリ装置３Ｂは、ＰＢＸ４及び公衆電話網２を介して他のファクシミリ装置３（３Ａ、３Ｃ、３Ｄ）と通信可能であり、使用ファクス番号が「２２２２」、通知ファクス番号が「８８８８」、登録ファクス番号が「２２２２」となっている。このファクシミリ装置３Ｂのように、ＰＢＸ４などの構内交換機に収容されていて、発信専用のファクス番号を用いて発信するファクシミリ装置の場合、通知ファクス番号（つまり発信専用のファクス番号）と、使用ファクス番号及び登録ファクス番号とが、異なるファクス番号となる。
【００１９】
ファクシミリ装置３Ｃは、公衆電話網２を介して他のファクシミリ装置３（３Ａ、３Ｂ、３Ｄ）と通信可能であり、使用ファクス番号が「３３３３」、通知ファクス番号が「３３３３」、登録ファクス番号が「３３３３」となっている。
【００２０】
ファクシミリ装置３Ｄは、公衆電話網２を介して他のファクシミリ装置３（３Ａ〜３Ｃ）と通信可能であり、使用ファクス番号が「９９９９」、通知ファクス番号が「９９９９」、登録ファクス番号が「２２２２」となっている。このファクシミリ装置３Ｄは、他のファクシミリ装置３に成りすまして迷惑ファクスを送信するファクシミリ装置であり、本来、ファクシミリ装置３Ｄの使用ファクス番号と同一のファクス番号を登録すべき登録ファクス番号に、他のファクシミリ装置３の使用ファクス番号が登録されている。
【００２１】
公衆電話網２は、加入電話回線交換網であり、回線交換方式により末端の音声端末（本実施の形態ではファクシミリ装置３）同士を接続して音声端末間で音声データ（本実施の形態ではファクスのデータ）を授受するようになっている。
【００２２】
ＰＢＸ４は、ファクシミリ装置３Ｂを内線として収容する構内交換機であり、公衆電話網２に繋がっているファクシミリ装置３Ａ、３Ｃ、３Ｄ（すなわち外線）と、収容しているファクシミリ装置３Ｂ（すなわち内線）とを接続する機能を有している。
【００２３】
ファクシミリシステム１の構成は、以上のようになっていて、ファクシミリ装置３Ａ〜３Ｄ間で、ファクシミリ伝送手順に基づくファクス通信が可能となっている。またこのファクシミリシステム１では、ファクス通信を行う前に、ナンバーディスプレイにより送信側のファクシミリ装置３の通知ファクス番号が受信側のファクシミリ装置３に通知されるようになっている。
【００２４】
［２．ファクシミリ装置の構成］
次に、ファクシミリ装置３の構成について説明する。尚、ファクシミリ装置３Ａ〜３Ｄは、同一構成となっている。ゆえに、ここでは、ファクシミリ装置３Ａの構成について、ハードウェア構成とソフトウェア構成に分けて順に説明する。図２に、ファクシミリ装置３Ａのハードウェア構成を示す。ファクシミリ装置３Ａは、ハードウェア構成として、ＣＰＵ１０、ＲＯＭ１１、ＲＡＭ１２、読取装置１３、印刷装置１４、通信装置１５、操作表示装置１６と、これらを繋ぐシステムバス１７とを有している。
【００２５】
ＣＰＵ１０は、ＲＯＭ１１に格納されている各種プログラムを実行することでファクシミリ装置３Ａの全体を制御する。ＲＯＭ１１は、ＣＰＵ１０により実行される各種プログラムを格納している。ＲＡＭ１２は、不揮発性メモリであり、ＣＰＵ１０が各種プログラムの実行時に利用する各種データを記憶する。
【００２６】
読取装置１３は、ＣＣＤ（Charge Coupled Device）などを利用したスキャナ装置であり、原稿を読み取り、ドットイメージデータに変換する。印刷装置１４は、感熱記録方式や電子写真方式などのプリンタ装置であり、ファクス通信により受信した画像データなどを印刷媒体にハードコピーして出力する（すなわち印刷する）。通信装置１５は、モデム（変復調装置）やＮＣＵ（Network Control Unit：網制御装置）などにより構成され、ファクシミリ伝送手順に基づき、ファクス通信で扱う各種データを変復調して相手先のファクシミリ装置３との間で授受する。操作表示装置１６は、例えば、数字キー、スタートキー、ファンクションキー、カーソルキー、決定キーなどの各種キーで構成される操作部と、液晶ディスプレイなどの表示部と、スピーカなどの音声出力部とを備える。操作表示装置１６の操作部は各種キーへのユーザ操作を入力として受け付け、表示部はファクシミリ装置３Ａの状態などを表示し、音声出力部は各種音声を出力する。ファクシミリ装置３Ａのハードウェア構成は、以上のようになっている。
【００２７】
つづけて、図３に、ファクシミリ装置３Ａのソフトウェア構成を示す。図３に示す制御部２０は、ファクシミリ装置３ＡのＣＰＵ１０が、ＲＯＭ１１に格納されているプログラムを実行することで実現されるソフトウェアである。
【００２８】
この制御部２０は、ソフトウェア構成として、システム制御部２１、操作表示制御部２２、読取制御部２３、印刷制御部２４、ファクシミリ制御部２５、呼び出し信号検出部２６、ＮＤ（ナンバーディスプレイ）情報受信部２７、受信可否第一判定部２８、受信可否第二判定部２９、受信可否第三判定部３０を有している。
【００２９】
システム制御部２１は、ファクシミリ装置３Ａのシステム全体を管理する。操作表示制御部２２は、操作表示装置１６を制御して、ファクシミリ装置３Ａのユーザインタフェースに関する動作を実行する。具体的に、操作表示制御部２２は、例えば、操作表示装置１６に対するユーザ操作に応じて、操作表示装置１６にファクスの受信履歴などを表示させる。
【００３０】
読取制御部２３は、読取装置１３を制御して、原稿の読み取りに関する動作を実行する。印刷制御部２４は、印刷装置１４を制御して、印刷に関する動作を実行する。具体的に、印刷制御部２４は、例えば、受信したファクスの画像を印刷装置１４に印刷させたり、ファクシミリ装置３Ａに関する各種帳票（例えばファクスの受信履歴など）を印刷装置１４に印刷させたりする。
【００３１】
ファクシミリ制御部２５は、通信装置１５を介して、公衆電話網２との間、もしくは公衆電話網２及びＰＢＸ４との間で、呼の確率処理及び開放処理を実行する。またファクシミリ制御部２５は、通信装置１５を介して、他のファクシミリ装置３との間で、規格として定められたファクシミリ伝送手順（例えばＩＴＵ−Ｔ  勧告Ｔ．３０に準拠したファクシミリ伝送手順）に基づくファクス通信を実行する。
【００３２】
ところで、ファクシミリ伝送手順に基づくファクス通信では、ファクスを送信する側のファクシミリ装置３に登録されている登録ファクス番号が含まれている送信端末識別情報（以下、ＴＳＩ情報と呼ぶ）を、送信側のファクシミリ装置３から、受信側のファクシミリ装置３へ送信するようになっている。
【００３３】
ファクシミリ制御部２５は、ファクシミリ伝送手順に基づくファクス通信時に、相手先のファクシミリ装置３から、このＴＳＩ情報を受信すると、このＴＳＩ情報に含まれている登録ファクス番号を、受信相手先情報としてＲＡＭ１２に格納するようになっている。具体的に、ＲＡＭ１２には、図４に示す相手先情報格納エリア４０が設けられていて、ファクシミリ制御部２５は、この相手先情報格納エリア４０に、ＴＳＩ情報から得られた登録ファクス番号を、受信相手先情報４２として格納するようになっている。
【００３４】
さらにファクシミリ制御部２５は、ファクス通信終了時及び後述するファクス受信拒否時に、ファクス通信に関する各種情報を、通信履歴としてＲＡＭ１２に格納するようになっている。具体的に、ファクシミリ制御部２５は、ファクス通信に関する各種情報を、図５に示す通信履歴５０としてＲＡＭ１２に格納するようになっている。通信履歴５０について、詳しくは後述する。
【００３５】
図３に戻り、呼び出し信号検出部２６は、システム制御部２１により起動される。この呼び出し信号検出部２６は、通信装置１５を制御して、情報受信端末起動信号（以下、ＣＡＲ信号と呼ぶ）、及び呼び出し信号（以下、ＩＲ信号と呼ぶ）の検出を行う。ここで、ＣＡＲ信号は、ファクス通信前に、公衆電話網２から着信側のファクシミリ装置３へ送信される信号であり、モデム信号による情報通知（すなわちナンバーディスプレイによるファクス番号の通知）を伴う着信である旨を示す信号である。一方、ＩＲ信号は、ファクス通信の開始時に、公衆電話網２からファクシミリ装置３へ送信される信号であり、着信がある旨を示す信号である。
【００３６】
ＮＤ情報受信部２７は、呼び出し信号検出部２６によってＣＡＲ信号が検出されたときに、ファクシミリ制御部２５により起動される。このＮＤ情報受信部２７は、ナンバーディスプレイのサービスとして公衆電話網２から着信側のファクシミリ装置３へ送信されるＮＤ情報を受信する。このＮＤ情報には、通知ファクス番号（つまりナンバーディスプレイにより通知される発信側のファクシミリ装置３のファクス番号）が含まれている。さらにＮＤ情報受信部２７は、ＮＤ情報に含まれている通知ファクス番号を、受信ＮＤ情報としてＲＡＭ１２に格納するようになっている。具体的に、ＮＤ情報受信部２７は、図４に示す相手先情報格納エリア４０に、ＮＤ情報から得られた通知ファクス番号を、受信ＮＤ情報４１として格納するようになっている。
【００３７】
受信可否第一判定部２８は、ファクシミリ制御部２５により起動される。この受信可否第一判定部２８は、相手先情報格納エリア４０に受信ＮＤ情報４１として格納されている通知ファクス番号（つまり相手先のファクシミリ装置３の通知ファクス番号）と、図６（Ａ）に示す受信許可リスト７０に登録されているファクス番号（すなわち受信許可ファクス番号７１１〜７１ｎ）とを照合してファクス番号の一致又は不一致を判定する第一の判定を行う。尚、この受信許可リスト７０は、ＲＡＭ１２に設けられている。
【００３８】
受信可否第二判定部２９は、ファクシミリ制御部２５により起動される。この受信可否第二判定部２９は、相手先情報格納エリア４０に受信相手先情報４２として格納されている登録ファクス番号（つまり相手先のファクシミリ装置３の登録ファクス番号）と、図６（Ａ）に示す受信許可リスト７０に登録されているファクス番号（すなわち受信許可ファクス番号７１１〜７１ｎ）とを照合してファクス番号の一致又は不一致を判定する第二の判定を行う。
【００３９】
受信可否第三判定部３０は、ファクシミリ制御部２５により起動される。この受信可否第三判定部３０は、相手先情報格納エリア４０に受信ＮＤ情報４１として格納されている通知ファクス番号（つまり相手先のファクシミリ装置３の通知ファクス番号）と、図６（Ｂ）に示す受信拒否リスト８０に登録されているファクス番号（すなわち受信拒否ファクス番号８１１〜８１ｎ）とを照合してファクス番号の一致又は不一致を判定する第三の判定を行う。尚、この受信拒否リスト８０も、ＲＡＭ１２に設けられている。ファクシミリ装置３Ａのソフトウェア構成は、以上のようになっている。
【００４０】
［３．ファクシミリ装置で扱う各種データの構成］
次に、ファクシミリ装置３Ａで扱う各種データの構成について説明する。尚、ファクシミリ装置３Ａで扱う各種データとは、相手先情報格納エリア４０、通信履歴５０、受信許可リスト７０、及び受信拒否リスト８０のそれぞれに含まれているデータであり、これらについて順に説明する。
【００４１】
図４に示す相手先情報格納エリア４０は、ＲＡＭ１２に設けられ、発信元となる相手先のファクシミリ装置３の通知ファクス番号を示す受信ＮＤ情報４１と、相手先のファクシミリ装置３の登録ファクス番号を示す受信相手先情報４２とを格納する。この相手先情報格納エリア４０に格納されている受信ＮＤ情報４１と受信相手先情報４２は、ファクシミリ装置３の起動時、ファクス通信終了時、及び後述するファクス受信拒否時に初期化される。この相手先情報格納エリア４０には、受信ＮＤ情報４１及び受信相手先情報４２として、それぞれ最大２０桁のファクス番号を格納できるようになっている。
【００４２】
図５に示す通信履歴５０は、ｎ個の通信履歴情報５１（５１１〜５１ｎ）を格納する配列データであり、ＲＡＭ１２に記憶されている。尚、この通信履歴５０は、ファクス送信の履歴を示す通信履歴情報５１と、ファクス受信の履歴を示す通信履歴情報５１とが混在するが、ここでは、ファクス受信の履歴を示す通信履歴情報（以下、受信履歴情報と呼ぶ）５１についてのみ説明する。受信履歴情報５１は、それぞれ通信種別５２、相手先情報５３、相手先ＮＤ情報５４、通信開始日時５５、通信時間５６、通信枚数５７、画質５８、通信結果情報５９、警告フラグ６０を有する構造体データであり、ファクス通信終了時、及び後述するファクス受信拒否時に、その都度、ファクシミリ制御部２５により通信履歴５０に格納されるようになっている。
【００４３】
受信履歴情報５１に含まれている通信種別５２は、手動受信、自動受信、親展受信、ポーリング受信などのように、この通信履歴情報５１に対応するファクス受信が、どのような種別のファクス受信であったのかを示す情報となっている。
【００４４】
相手先情報５３は、受信相手先情報４２として格納されている登録ファクス番号を示す情報となっている。つまり、この相手先情報５３には、ファクス通信時にＴＳＩ情報から得られた、発信元となる相手先のファクシミリ装置３の登録ファクス番号が格納される。相手先ＮＤ情報５４は、受信ＮＤ情報４１として格納されている通知ファクス番号を示す情報となっている。つまり、この相手先ＮＤ情報５４には、ファクス通信前に、ナンバーディスプレイにより通知される、発信元となる相手先のファクシミリ装置３の通知ファクス番号が格納される。
【００４５】
通信開始日時５５は、ファクス通信を開始した日時もしくはファクス受信を拒否した日時を示す情報となっている。通信時間５６は、ファクス通信を開始してから終了するまでの時間を示す情報となっている。通信枚数５７は、ファクス通信にて受信したファクス画像の枚数を示す情報となっている。画質５８は、ファクス通信時に相手先のファクシミリ装置３との間で決定したファクス画像の解像度を示す情報となっている。通信結果情報５９は、ファクス通信の成否（つまり成功したか失敗したか）を示す情報となっている。尚、この通信結果情報５９は、例えば、「０１」は通信成功（ＯＫ）、「０２」はファクス受信拒否により通信失敗（ＮＧ）、「０３」はメモリオーバーフローにより通信失敗（ＮＧ）などのように、ファクス通信の成否と失敗の理由とを示すコード情報となっている。尚、通信結果情報５９は、例えば、通信成功の場合には「０１」、通信失敗の場合には「０２」以降の整数が入力されるようになっている。
【００４６】
警告フラグ６０は、相手先のファクシミリ装置３から受信したファクスが迷惑ファクスの可能性がある場合にセットされるフラグであり、迷惑ファクスの可能性がある場合に例えば「１」がセットされ、無い場合には例えば初期値の「０」のままとなる。つまり、警告フラグ６０に「１」がセットされていれば、相手先のファクシミリ装置３から受信したファクスが迷惑ファクスの可能性があることを意味する。
【００４７】
図６（Ａ）に示す受信許可リスト７０は、ｎ個の受信許可ファクス番号７１（７１１〜７１ｎ）を格納する配列データであり、ＲＡＭ１２に記憶されている。受信許可ファクス番号７１は、ファクスの受信を許可する相手のファクス番号である。尚、ファクシミリ装置３Ａでは、ユーザが操作表示装置１６を操作して、最大２０桁の受信許可ファクス番号７１を受信許可リスト７０に登録できるようになっている。
【００４８】
図６（Ｂ）に示す受信拒否リスト８０は、ｎ個の受信拒否ファクス番号８１（８１１〜８１ｎ）を格納する配列データであり、ＲＡＭ１２に記憶されている。受信拒否ファクス番号８１は、ファクスの受信を拒否する相手のファクス番号である。尚、ファクシミリ装置３Ａでは、ユーザが操作表示装置１６を操作して、最大２０桁の受信拒否ファクス番号８１を受信拒否リスト８０に登録できるようになっている。さらにファクシミリ装置３Ａでは、詳しくは後述するが、通知ファクス番号も登録ファクス番号も受信許可リスト７０に登録されていない相手から着信があった場合に、相手の通知ファクス番号を、自動的に受信拒否リスト８０に登録するようにもなっている。ファクシミリ装置で扱う各種データの構成は、以上のようになっている。
【００４９】
［４．ファクスを受信するときの動作］
次に、ファクシミリ装置３Ａがファクスを受信するときの動作について、図７及び図８に示すフローチャートを用いて説明する。尚、図７及び図８に示す動作は、ファクシミリ装置３Ａの制御部２０（図３）が主体となって実行する１通信分の動作である。
【００５０】
まずステップＳＰ１において、ファクシミリ制御部２５は、呼び出し信号検出部２６によりＣＡＲ信号（ナンバーディスプレイによるファクス番号の通知を伴う着信である旨を示す信号）が検出されたか否かを判定する。ここで、呼び出し信号検出部２６によりＣＡＲ信号が検出された場合、ファクシミリ制御部２５は、ステップＳＰ２に移る。一方で、ＣＡＲ信号が検出されていなければ、ファクシミリ制御部２５は、ステップＳＰ５に移る。
【００５１】
ＣＡＲ信号が検出された場合に移るステップＳＰ２において、ファクシミリ制御部２５は、回線を補足して公衆電話網２に一次応答信号を送出する処理を、ＮＤ情報受信部２７に実行させ、ステップＳＰ３に移る。ステップＳＰ３において、ファクシミリ制御部２５は、公衆電話網２からモデム信号として送信されてくるＮＤ情報を受信してこのＮＤ情報に含まれている通知ファクス番号（ナンバーディスプレイにより通知される相手先のファクシミリ装置３のファクス番号）を受信ＮＤ情報４１として相手先情報格納エリア４０に格納する処理を、ＮＤ情報受信部２７に実行させ、ステップＳＰ４に移る。ステップＳＰ４において、ファクシミリ制御部２５は、回線を開放して公衆電話網２に受信完了信号を送出する処理を、ＮＤ情報受信部２７に実行させ、ステップＳＰ５に移る。
【００５２】
ここまでの処理（すなわちステップＳＰ１〜ＳＰ４までの処理）が、ナンバーディスプレイにより通知される通知ファクス番号を取得する処理であり、これ以降の処理（すなわちステップＳＰ５以降の処理）が、ファクシミリ伝送手順に基づくファクス通信処理である。
【００５３】
ステップＳＰ５において、ファクシミリ制御部２５は、呼び出し信号検出部２６によりＩＲ信号（着信がある旨を示す信号）が検出されたか否かを判定する。ここで、呼び出し信号検出部２６によりＩＲ信号が検出されなかった場合、ファクシミリ制御部２５は、ステップＳＰ１に戻る。一方で、ＩＲ信号が検出された場合、ファクシミリ制御部２５は、ステップＳＰ６に移る。
【００５４】
ステップＳＰ６において、ファクシミリ制御部２５は、受信ＮＤ情報４１が示す通知ファクス番号（相手先のファクシミリ装置３の通知ファクス番号）と、受信許可リスト７０に登録されている受信許可ファクス番号７１１〜７１ｎとを照合してファクス番号の一致又は不一致を判定する処理を、受信可否第一判定部２８に実行させる。ここで、ファクシミリ制御部２５は、受信ＮＤ情報４１が示す通知ファクス番号が、受信許可リスト７０に登録されている受信許可ファクス番号７１１〜７１ｎのうちの１つと一致すると判定された場合（つまり相手先のファクシミリ装置３の通知ファクス番号が受信許可リスト７０に登録されている場合）、ステップＳＰ６で肯定結果を得て、ステップＳＰ７に移る。一方で、受信ＮＤ情報４１が示す通知ファクス番号が、受信許可リスト７０に登録されている受信許可ファクス番号７１１〜７１ｎのどれとも一致しないと判定された場合（つまり相手先のファクシミリ装置３の通知ファクス番号が受信許可リスト７０に登録されていない場合）、ステップＳＰ６で否定結果を得て、ステップＳＰ８に移る。
【００５５】
相手先のファクシミリ装置３の通知ファクス番号が受信許可リスト７０に登録されている場合に移るステップＳＰ７において、ファクシミリ制御部２５は、受信可否第一判定部２８による判定結果をもとに、ファクス受信許可を示す受信可否結果情報をＲＡＭ１２に一時記憶させ、ステップＳＰ１１に移る。
【００５６】
一方で、相手先のファクシミリ装置３の通知ファクス番号が受信許可リスト７０に登録されていない場合に移るステップＳＰ８において、ファクシミリ制御部２５は、受信ＮＤ情報４１が示す通知ファクス番号と、受信拒否リスト８０に登録されている受信拒否ファクス番号８１１〜８１ｎとを照合してファクス番号の一致又は不一致を判定する処理を、受信可否第三判定部３０に実行させる。ここで、ファクシミリ制御部２５は、受信ＮＤ情報４１が示す通知ファクス番号が、受信拒否リスト８０に登録されている受信拒否ファクス番号８１１〜８１ｎのうちどれとも一致しないと判定された場合（つまり相手先のファクシミリ装置３の通知ファクス番号が受信拒否リスト８０に登録されていない場合）、ステップＳＰ８で否定結果を得て、ステップＳＰ９に移る。一方で、受信ＮＤ情報４１が示す通知ファクス番号が、受信拒否リスト８０に登録されている受信拒否ファクス番号８１１〜８１ｎのうちの１つと一致すると判定された場合（つまり相手先のファクシミリ装置３の通知ファクス番号が受信拒否リスト８０に登録されている場合）、ステップＳＰ８で肯定結果を得て、ステップＳＰ１０に移る。
【００５７】
相手先のファクシミリ装置３の通知ファクス番号が受信拒否リスト８０に登録されていない場合に移るステップＳＰ９において、ファクシミリ制御部２５は、受信可否第三判定部３０による判定結果をもとに、ファクス受信保留を示す受信可否結果情報をＲＡＭ１２に一時記憶させ、ステップＳＰ１１に移る。
【００５８】
一方で、相手先のファクシミリ装置３の通知ファクス番号が受信拒否リスト８０に登録されている場合に移るステップＳＰ１０において、ファクシミリ制御部２５は、受信可否第三判定部３０による判定結果をもとに、ファクス受信を拒否すると決定し、ここまでに得られた情報をもとに受信履歴情報５１を生成して、これを通信履歴５０に格納する。このとき、ファクシミリ制御部２５は、受信履歴情報５１の通信結果情報５９に、ファクス受信拒否により通信失敗（ＮＧ）したことを示すコード情報「０２」を格納するようになっている。その後、ファクシミリ制御部２５は、ファクスの受信を拒否する処理を実行して、一連の動作を終了する。尚、ファクスの受信を拒否する処理とは、回線を補足せず、相手先のファクシミリ装置３との通信を中止する処理である。尚、ここでは、ファクシミリ制御部２５が、ステップＳＰ６で否定結果を得た場合（つまり相手先のファクシミリ装置３の通知ファクス番号が受信許可リスト７０に登録されていない場合）にステップＳＰ８に移り、ステップＳＰ８で受信可否第三判定部３０による判定（第三の判定）を行うようにしたが、これに限らず、このステップＳＰ８を省略して、ステップＳＰ６で否定結果を得た場合にステップＳＰ９に移り、ファクス受信保留を示す受信可否結果情報をＲＡＭ１２に一時記憶させ、ステップＳＰ１１に移るようにしてもよい。
【００５９】
ちなみに、相手先のファクシミリ装置３が、使用ファクス番号の前に１８４を付けるなどして非通知発信を行っている場合、ステップＳＰ３で受信するＮＤ情報に相手先のファクシミリ装置３の通知ファクス番号が含まれない。この場合、ファクシミリ制御部２５は、ステップＳＰ３において、受信ＮＤ情報４１を初期値のままブランク状態としてステップＳＰ４以降の処理を行う。すなわち、ファクシミリ制御部２５は、受信ＮＤ情報４１がブランク状態の場合、ステップＳＰ６、ＳＰ８の両方で否定結果を得てステップＳＰ９に移ることになる。またこれに限らず、受信ＮＤ情報４１がブランク状態の場合に、ファクシミリ制御部２５が、ステップＳＰ８で自動的に肯定結果を得てステップＳＰ１０に移るようにしてファクス受信を拒否するようにしてもよい。受信するＮＤ情報に相手先のファクシミリ装置３の通知ファクス番号が含まれない場合に、ファクシミリ制御部２５がこれら２つの動作のうちのどちらを行うかについては、例えばファクシミリ装置３Ａの設定としてユーザに選択させるようにすればよい。
【００６０】
これに対して、ファクス受信許可、又はファクス受信保留を示す受信可否結果情報を一時記憶した後に移る、ステップＳＰ１１において、ファクシミリ制御部２５は、ファクス受信を開始するために、回線を補足して公衆電話網２に二次応答信号を送出する処理を実行して、ステップＳＰ１２に移る。
【００６１】
ステップＳＰ１２において、ファクシミリ制御部２５は、相手先のファクシミリ装置３にＤＩＳ信号（ファクスを受信する側の機能を示す情報）を送信した結果、相手先のファクシミリ装置３から返信されてくるＤＣＳ信号（ファクスを送信するときの条件を示す情報）を受信したかどうかを判定する。尚、ＤＩＳ信号とＤＣＳ信号の遣り取りは、ファクシミリ伝送手順に基づくものである。
【００６２】
ここで、ファクシミリ制御部２５は、ＤＣＳ信号を受信することなく所定時間経過した場合（つまりタイムアウトした場合）、もしくは意図しないファクス制御信号を受信した場合、ステップＳＰ１２で否定結果を得て、ステップＳＰ１３に移る。ステップＳＰ１３において、ファクシミリ制御部２５は、ファクス通信を終了すると決定し、ここまでに得られた情報をもとに受信履歴情報５１を生成して、これを通信履歴５０に格納する。このとき、ファクシミリ制御部２５は、受信履歴情報５１の通信結果情報５９に、例えば、信号エラーにより通信失敗（ＮＧ）したことを示すコード情報「０４」を格納するようになっている。その後、ファクシミリ制御部２５は、ファクス通信を終了する処理を実行して、一連の動作を終了する。尚、ファクス通信を終了する処理とは、回線を開放して、相手先のファクシミリ装置３との通信を中止する処理である。
【００６３】
一方で、ＤＣＳ信号を正常に受信できた場合、ファクシミリ制御部２５は、図８に示すステップＳＰ１４に移る。ステップＳＰ１４において、ファクシミリ制御部２５は、ＤＣＳ信号とともに相手先のファクシミリ装置３から受信したＴＳＩ情報に含まれている登録ファクス番号を、受信相手先情報４２として相手先情報格納エリア４０に格納する。ちなみにこのＴＳＩ情報はオプションであり、必ずしもＤＣＳ信号とともに送信されてくるわけではない。ＴＳＩ情報が送信されてこなかった場合、相手先情報格納エリア４０に格納される受信相手先情報４２は初期値のままブランク状態となる。
【００６４】
つづくステップＳＰ１５において、ファクシミリ制御部２５は、ＲＡＭ１２に一時記憶している受信可否結果情報が、ファクス受信許可を示しているか否かを判定する。ここで、受信可否結果情報がファクス受信許可を示している場合、このことは、通知ファクス番号が、受信許可リスト７０に登録されていることを意味する。このとき、ファクシミリ制御部２５は、ステップＳＰ１５で肯定結果を得て、ステップＳＰ１６に移る。
【００６５】
ステップＳＰ１６において、ファクシミリ制御部２５は、受信ＮＤ情報４１が示す通知ファクス番号と、受信相手先情報４２が示す登録ファクス番号とが一致するか否かを判定する。ここで、受信ＮＤ情報４１が示す通知ファクス番号と、受信相手先情報４２が示す登録ファクス番号とが一致する場合、このことは、相手先のファクシミリ装置３の通知先ファクス番号と登録ファクス番号が一致していて、且つ両方が受信許可リスト７０に登録されていることを意味する。この場合、ファクシミリ制御部２５は、ステップＳＰ１６で肯定結果を得て、ファクス通信処理を継続することによりファクスを受信する。そして、ファクシミリ制御部２５は、ファクス通信処理によりファクスを受信し終えると、それまでに得られた情報をもとに受信履歴情報５１を生成して、これを通信履歴５０に格納する。このとき、ファクシミリ制御部２５は、受信履歴情報５１の通信結果情報５９に、通信成功（ＯＫ）を示すコード情報「０１」を格納するようになっている。尚、このステップＳＰ１６では、ファクシミリ制御部２５が、受信許可リスト７０に登録されている通知ファクス番号と、登録ファクス番号とが一致するか否かを判定しているが、これは、受信可否第二判定部２９が、登録ファクス番号と、受信許可リスト７０に登録されている受信許可ファクス番号７１１〜７１ｎとを照合してファクス番号の一致又は不一致を判定することと同義である。よって、このステップＳＰ１６での判定を、受信可否第二判定部２９が行う第二の判定に置き換えてもよい。
【００６６】
一方で、受信ＮＤ情報４１が示す通知ファクス番号と、受信相手先情報４２が示す登録ファクス番号とが一致しない場合、このことは、相手先のファクシミリ装置３の通知先ファクス番号と登録ファクス番号が異なっていることから、相手先のファクシミリ装置３がファクシミリ装置３Ｄのように他のファクシミリ装置３に成りすましている可能性があり、受信しようとしているファクスが迷惑ファクスの可能性があることを意味する。この場合、ファクシミリ制御部２５は、ステップＳＰ１６で否定結果を得て、ステップＳＰ１７に移り、警告フラグ６０に「１」をセットした受信履歴情報５１を生成して、これを通信履歴５０に格納する。つまり、この場合の受信履歴情報５１は、迷惑ファクスの可能性があることを示している。
【００６７】
その後、ファクシミリ制御部２５は、ファクス通信処理を継続することによりファクスを受信する。このようにして受信されたファクスの画像は、印刷装置１４により印刷媒体に印刷される。そして、ファクシミリ制御部２５は、ファクス通信処理によりファクスを受信し終えると、それまでに得られた情報をもとに、ステップＳＰ１７で通信履歴５０に格納した受信履歴情報５１を更新する。このとき、ファクシミリ制御部２５は、受信履歴情報５１の通信結果情報５９に、通信成功（ＯＫ）を示すコード情報「０１」を格納するようになっている。つまり、この場合の受信履歴情報５１は、ファクスの受信は成功したが、迷惑ファクスの可能性があることを示している。
【００６８】
これに対して、ＲＡＭ１２に一時記憶している受信可否結果情報がファクス受信保留を示している場合、このことは、通知ファクス番号が、受信許可リスト７０にも受信拒否リスト８０にも登録されていないことを意味する。このとき、ファクシミリ制御部２５は、ステップＳＰ１５で否定結果を得て、ステップＳＰ１８に移る。
【００６９】
ステップＳＰ１８において、ファクシミリ制御部２５は、受信相手先情報４２が示す登録ファクス番号と、受信許可リスト７０に登録されている受信許可ファクス番号７１１〜７１ｎとを照合してファクス番号の一致又は不一致を判定する処理を、受信可否第二判定部２９に実行させる。ここで、受信相手先情報４２が示す登録ファクス番号が、受信許可リスト７０に登録されている受信許可ファクス番号７１１〜７１ｎのうちの１つと一致すると判定された場合、このことは、通知ファクス番号と登録ファクス番号とが異なっていて、且つ登録ファクス番号のみが受信許可リスト７０に登録されていることから、相手先のファクシミリ装置３がファクシミリ装置３Ｄのように他のファクシミリ装置３に成りすましている可能性があり、受信しようとしているファクスが迷惑ファクスの可能性があることを意味する。この場合、ファクシミリ制御部２５は、ステップＳＰ１８で肯定結果を得て、ステップＳＰ１７に移る。ステップＳＰ１７以降の説明は上述したので省略する。
【００７０】
一方で、受信相手先情報４２が示す登録ファクス番号が、受信許可リスト７０に登録されている受信許可ファクス番号７１１〜７１ｎのどれとも一致しないと判定された場合、このことは、通知ファクス番号も登録ファクス番号も受信許可リスト７０に登録されていないことから、受信しようとしているファクスが迷惑ファクスであることを意味する。この場合、ファクシミリ制御部２５は、ステップＳＰ１８で否定結果を得て、ステップＳＰ１９に移る。
【００７１】
ステップＳＰ１９において、ファクシミリ制御部２５は、ファクス受信を拒否すると決定し、受信ＮＤ情報４１が示す通知ファクス番号を、新たな受信拒否ファクス番号８１として、受信拒否リスト８０に登録し、次のステップＳＰ２０に移る。ステップＳＰ２０において、ファクシミリ制御部２５は、ここまでに得られた情報をもとに受信履歴情報５１を生成して、これを通信履歴５０に格納する。このとき、ファクシミリ制御部２５は、受信履歴情報５１の通信結果情報５９に、例えば、ファクス受信拒否により通信失敗（ＮＧ）したことを示すコード情報「０２」を格納するようになっている。その後、ファクシミリ制御部２５は、ファクス通信を終了する処理を実行して、一連の動作を終了する。ファクシミリ装置３Ａがファクスを受信するときの動作は、以上のようになっている。
【００７２】
［５．画面遷移］
次に、ファクシミリ装置３Ａの操作表示装置１６に、ファクス受信履歴を表示する際の画面遷移について図９（Ａ）〜（Ｅ）を用いて説明する。尚、ファクス受信履歴を表示する際の画面遷移は、操作表示制御部２２が操作表示装置１６を制御して実行する動作である。
【００７３】
まず、図９（Ａ）に、操作表示装置１６に表示される待機表示画面Ｓｃ１を示す。この待機表示画面Ｓｃ１には、選択可能な項目として「コピー」、「スキャン」、「プリント」、「ファクス」が上下方向に並べて配置されている。ここで、ユーザが、操作表示装置１６のカーソルキーを操作して「ファクス」を選択した後、決定キーを押下すると、操作表示装置１６に表示される画面が、待機表示画面Ｓｃ１から、図９（Ｂ）に示すファクス設定画面Ｓｃ２に遷移する。
【００７４】
このファクス設定画面Ｓｃ２には、選択可能な項目として「宛先選択」、「応用設定」、「予約ジョブ表示」、「通信履歴表示」が上下方向に並べて配置されている。ここで、ユーザが、操作表示装置１６のカーソルキーを操作して「通信履歴表示」を選択した後、決定キーを押下すると、操作表示装置１６に表示される画面が、ファクス設定画面Ｓｃ２から、図９（Ｃ）に示す履歴種別選択画面Ｓｃ３に遷移する。
【００７５】
この履歴種別選択画面Ｓｃ３には、選択可能な項目として「送信履歴」、「受信履歴」が上下方向に並べて配置されている。ここで、ユーザが、操作表示装置１６のカーソルキーを操作して「受信履歴」を選択した後、決定キーを押下すると、操作表示装置１６に表示される画面が、履歴種別選択画面Ｓｃ３から、図９（Ｄ）に示す受信履歴一覧画面Ｓｃ４に遷移する。
【００７６】
受信履歴一覧画面Ｓｃ４は、ファクス受信履歴をリスト表示する画面であり、１通信分のファクス受信履歴の概要情報（以下、受信履歴概要情報と呼ぶ）Ｓｉを１行単位で表示するようになっている。尚、受信履歴一覧画面Ｓｃ４には、例えば、１度に５個の受信履歴概要情報Ｓｉを表示できるようになっていて、それぞれの受信履歴概要情報Ｓｉが選択可能な項目となっている。具体的に、受信履歴概要情報Ｓｉは、図１０に示すように、左から順に並べて表示される、警告フラグＤ１、相手先情報Ｄ２、通信開始日時Ｄ３、通信結果情報Ｄ４により構成されている。
【００７７】
この受信履歴概要情報Ｓｉは、通信履歴５０に格納されている受信履歴情報５１の概要となる情報であり、操作表示制御部２２により生成される。具体的に、受信履歴概要情報Ｓｉの警告フラグＤ１、相手先情報Ｄ２、通信開始日時Ｄ３、通信結果情報Ｄ４は、それぞれ受信履歴情報５１の警告フラグ６０、相手先情報（登録ファクス番号）５３、通信開始日時５５、通信結果情報５９をもとに生成されている。
【００７８】
ここで、受信履歴情報５１の警告フラグ６０が「０」の場合、受信履歴概要情報Ｓｉの警告フラグＤ１はブランクとなり、受信履歴情報５１の警告フラグ６０が「１」の場合、受信履歴概要情報Ｓｉの警告フラグＤ１は文字情報「！」となる。つまり、受信履歴一覧画面Ｓｃ４に表示されている受信履歴概要情報Ｓｉのうち、１番左に「！」が表示されている受信履歴概要情報Ｓｉは、受信したファクスが迷惑ファクスの可能性があることを示していて、１番左がブランクとなっている受信履歴概要情報Ｓｉは、受信したファクスが迷惑ファクスではないことを示している。
【００７９】
また受信履歴概要情報Ｓｉの相手先情報Ｄ２は、受信履歴情報５１の相手先情報５３が示す登録ファクス番号となる。尚、受信履歴情報５１の相手先情報５３に登録ファクス番号が示されていない場合、受信履歴概要情報Ｓｉの相手先情報Ｄ２を、ブランクとしてもよいし、受信履歴情報５１の相手先ＮＤ情報５４が示す通知ファクス番号としてもよい。
【００８０】
さらに受信履歴概要情報Ｓｉの通信開始日時Ｄ３は、受信履歴情報５１の通信開始日時５５となる。さらに受信履歴概要情報Ｓｉの通信結果情報Ｄ４は、受信履歴情報５１の通信結果情報５９が通信成功を示す「０１」の場合、文字情報「ＯＫ」となり、受信履歴情報５１の通信結果情報５９が通信失敗を示す「０２」以降の整数の場合、文字情報「ＮＧ」となる。つまり、受信履歴一覧画面Ｓｃ４に表示されている受信履歴概要情報Ｓｉのうち、１番右に「ＯＫ」が表示されている受信履歴概要情報Ｓｉは、ファクスを受信できたことを示していて、１番右に「ＮＧ」が表示されている受信履歴概要情報Ｓｉは、ファクスを拒否するなどして受信できなかったことを示している。
【００８１】
このように、受信履歴一覧画面Ｓｃ４では、受信履歴概要情報Ｓｉを、ファクスを受信したときの受信履歴と、ファクスを拒否するなどして受信しなかったときの受信履歴とで、表示内容が異なるようにして表示するようになっている。また受信履歴一覧画面Ｓｃ４では、受信履歴概要情報Ｓｉを、受信したファクスが迷惑ファクスの可能性があるかどうかで、表示内容が異なるようにして表示するようになっている。こうすることで、受信履歴一覧画面Ｓｃ４では、どの受信履歴がファクスの受信を拒否したものなのかと、どの受信履歴が迷惑ファクスの可能性があるものなのかを、ユーザに容易に確認させることができるようになっている。
【００８２】
ここで、ユーザが、操作表示装置１６のカーソルキーを操作して任意の受信履歴概要情報Ｓｉを選択した後、決定キーを押下すると、操作表示装置１６に表示される画面が、受信履歴一覧画面Ｓｃ４から、図９（Ｅ）に示す受信履歴詳細画面Ｓｃ５に遷移する。
【００８３】
受信履歴詳細画面Ｓｃ５は、受信履歴一覧画面Ｓｃ４上で選択された受信履歴概要情報Ｓｉに対応する１通信分のファクス受信履歴の詳細情報（以下、受信履歴詳細情報と呼ぶ）Ｄｉを表示する画面である。尚、図９（Ｅ）に示す受信履歴詳細画面Ｓｃ５は、迷惑ファクスの可能性があるファクスを受信したときの受信履歴に対応する受信履歴詳細情報Ｄｉが表示された例である。
【００８４】
この受信履歴詳細情報Ｄｉは、図１１に示すように、上から順に並べて表示される、通知ファクス番号Ｄ１０、登録ファクス番号Ｄ１１、通信開始日時Ｄ１２、通信時間Ｄ１３、通信枚数Ｄ１４、画質Ｄ１５、通信結果情報Ｄ１６、通信種別Ｄ１７、警告情報Ｄ１８により構成されている。
【００８５】
この受信履歴詳細情報Ｄｉは、選択された受信履歴概要情報Ｓｉに対応する受信履歴情報５１に基づく情報であり、操作表示制御部２２により生成される。具体的に、受信履歴詳細情報Ｄｉの通知ファクス番号Ｄ１０、登録ファクス番号Ｄ１１、通信開始日時Ｄ１２、通信時間Ｄ１３、通信枚数Ｄ１４、画質Ｄ１５、通信結果情報Ｄ１６、通信種別Ｄ１７、警告情報Ｄ１８は、それぞれ受信履歴情報５１の相手先ＮＤ情報（通知ファクス番号）５４、相手先情報（登録ファクス番号）５３、通信開始日時５５、通信時間５６、通信枚数５７、画質５８、通信結果情報５９、通信種別５２、警告フラグ６０をもとに生成されている。
【００８６】
ここで、受信履歴詳細情報Ｄｉの通信結果情報Ｄ１６は、受信履歴情報５１の通信結果情報５９が通信成功を示す「０１」の場合、文字情報「ＯＫ」となり、受信履歴情報５１の通信結果情報５９が通信失敗及びその理由を示す「０２」以降の整数の場合、文字情報「ＮＧ」と通信失敗の理由を示す文字情報（例えば「ファクス受信拒否」）とになる。
【００８７】
さらに、受信履歴情報５１の警告フラグ６０が「０」の場合、受信履歴詳細情報Ｄｉの警告情報Ｄ１８はブランクとなり、受信履歴情報５１の警告フラグ６０が「１」の場合、受信履歴詳細情報Ｄｉの警告情報Ｄ１８は迷惑ファクスの可能性がある旨を示す文字情報（例えば「迷惑ファクスの可能性があります。確認してください」）となる。このように、受信履歴詳細情報Ｄｉの警告情報Ｄ１８は、受信したファクスが迷惑ファクスの可能性があるかどうかを示している。
【００８８】
受信履歴詳細画面Ｓｃ５では、このような受信履歴詳細情報Ｄｉを表示することにより、受信履歴一覧画面Ｓｃ４で選択したファクス受信履歴の詳細として、相手先のファクシミリ装置３の通知ファクス番号と登録ファクス番号とが一致しているか否か、受信したファクスが迷惑ファクスの可能性があるかどうかなどを、ユーザに容易に確認させることができるようになっている。
【００８９】
尚、受信履歴詳細画面Ｓｃ５に、ファクス受信を拒否したときの受信履歴に対応する受信履歴詳細情報Ｄｉが表示された例を図１２に示す。この受信履歴詳細情報Ｄｉは、ファクス受信を拒否したときの履歴であるため、登録ファクス番号Ｄ１１、通信時間Ｄ１３、通信枚数Ｄ１４、画質Ｄ１５、通信種別Ｄ１７、警告情報Ｄ１８についてはブランクとなっている。ファクス受信履歴を表示する際の画面遷移は、以上のようになっている。
【００９０】
さらに、ファクシミリ装置３Ａでは、受信履歴詳細画面Ｓｃ５に表示されている通知ファクス番号Ｄ１０を簡易な操作で受信許可リスト７０又は受信拒否リスト８０に登録できるようになっている。この場合の画面遷移について、図９（Ｅ）〜（Ｈ）を用いて説明する。尚、この画面遷移も、操作表示制御部２２が操作表示装置１６を制御して実行する動作である。
【００９１】
図９（Ｅ）に示す受信履歴詳細画面Ｓｃ５が、操作表示装置１６に表示されている状態で、ユーザが、決定キーを押下すると、操作表示装置１６に表示される画面が、受信履歴詳細画面Ｓｃ５から、図９（Ｆ）に示すファクス番号登録先選択画面Ｓｃ６に遷移する。このファクス番号登録先選択画面Ｓｃ６は、受信履歴詳細画面Ｓｃ５に表示されていた通知ファクス番号Ｄ１０を受信許可リスト７０と受信拒否リスト８０のどちらに登録するかユーザに選択させる画面であり、選択可能な項目として、「受信許可リスト」と「受信拒否リスト」が配置されている。
【００９２】
尚、ここでは一例として、図９（Ｅ）に示すように、受信履歴詳細画面Ｓｃ５に表示されている受信履歴詳細情報Ｄｉの警告情報Ｄ１８として、迷惑ファクスの可能性がある旨を示す文字情報が表示されている場合にのみ、受信履歴詳細画面Ｓｃ５からファクス番号登録先選択画面Ｓｃ６に遷移可能としている。
【００９３】
すなわち、受信履歴詳細情報Ｄｉの警告情報Ｄ１８に迷惑ファクスの可能性がある旨を示す文字情報が表示されているということは、この受信履歴詳細情報Ｄｉに対応するファクス受信時に、ファクシミリ装置３Ａが、ファクスの受信を拒否すべきか（つまり迷惑ファクスであるか）判断できず、迷惑ファクスの可能性がある旨を受信履歴として残しつつファクスの受信を許可したことを意味する。
【００９４】
よって、このときファクスを送信してきたファクシミリ装置３がファクスの受信を拒否すべき相手なのか、ファクシミリ装置３Ａ側で判断できるようにするには、そのファクシミリ装置３の通知ファクス番号を、受信許可リスト７０又は受信拒否リスト８０にユーザが登録しなければならない。
【００９５】
このような理由から、受信履歴詳細情報Ｄｉの警告情報Ｄ１８に迷惑ファクスの可能性がある旨を示す文字情報が表示されている場合にのみ、受信履歴詳細画面Ｓｃ５からファクス番号登録先選択画面Ｓｃ６に遷移可能とした。尚、これに限らず、迷惑ファクスの可能性があるかどうかに関わらず、受信履歴詳細画面Ｓｃ５からファクス番号登録先選択画面Ｓｃ６に遷移可能としてもよい。
【００９６】
ここで、ユーザが、操作表示装置１６のカーソルキーを操作して「受信拒否リスト」を選択した後、決定キーを押下すると、操作表示装置１６に表示される画面が、ファクス番号登録先選択画面Ｓｃ６から、図９（Ｇ）に示す受信拒否リスト登録確認画面Ｓｃ７に遷移する。
【００９７】
受信拒否リスト登録確認画面Ｓｃ７は、受信履歴詳細画面Ｓｃ５に表示されていた通知ファクス番号Ｄ１０を再表示するとともに、この通知ファクス番号Ｄ１０を受信拒否リスト８０に登録してもよいか、ユーザに確認する画面であり、選択可能な項目として、「はい」と「いいえ」が配置されている。
【００９８】
ここで、ユーザが、操作表示装置１６のカーソルキーを操作して「はい」を選択した後、決定キーを押下すると、受信履歴詳細画面Ｓｃ５に表示されていた通知ファクス番号Ｄ１０がファクシミリ制御部２５により受信拒否リスト８０に登録されるとともに、操作表示装置１６に表示される画面が、受信拒否リスト登録確認画面Ｓｃ７から、図９（Ｈ）に示す受信拒否リスト登録完了画面Ｓｃ８に遷移する。
【００９９】
この受信拒否リスト登録完了画面Ｓｃ８は、通知ファクス番号Ｄ１０を受信拒否リスト８０に追加登録した旨をユーザに通知する画面である。この受信拒否リスト登録完了画面Ｓｃ８が表示された後、所定時間経過すると、操作表示装置１６に表示される画面が、受信拒否リスト登録完了画面Ｓｃ８から、図９（Ｅ）に示す受信履歴詳細画面Ｓｃ５に戻る。
【０１００】
一方で、ユーザが、操作表示装置１６のカーソルキーを操作して「いいえ」を選択した後、決定キーを押下すると、操作表示装置１６に表示される画面は、例えば、受信拒否リスト登録確認画面Ｓｃ７から、図９（Ｅ）に示す受信履歴詳細画面Ｓｃ５に戻る。
【０１０１】
また、受信履歴詳細画面Ｓｃ５に表示されている通知ファクス番号Ｄ１０を受信拒否リスト８０ではなく受信許可リスト７０に登録する場合、ファクス番号登録先選択画面Ｓｃ６上で「受信許可リスト」を選択して、その後表示される図示しない受信許可リスト追加登録画面上で「はい」を選択すればよい。尚、操作表示装置１６のカーソルキーの押下に応じて、操作表示装置１６に表示される画面を、１つ前の画面に戻すようにしてもよい。受信履歴詳細画面Ｓｃ５に表示されている通知ファクス番号Ｄ１０を受信許可リスト７０又は受信拒否リスト８０に登録する場合の画面遷移は、以上のようになっている。
【０１０２】
［６．まとめと効果］
ここまで説明したように、ファクシミリ装置３Ａは、受信可否第一判定部２８が、ナンバーディスプレイにより公衆電話網２から送信されてきたＮＤ情報が示す通知ファクス番号（ナンバーディスプレイにより通知される相手先のファクシミリ装置３のファクス番号）と、受信許可リスト７０に登録されている受信許可ファクス番号７１１〜７１ｎとを照合してファクス番号の一致又は不一致を判定するようにした。
【０１０３】
また、ファクシミリ装置３Ａは、受信可否第二判定部２９が、ファクシミリ伝送手順に基づいて相手先のファクシミリ装置３から送信されてきたＴＳＩ情報が示す登録ファクス番号（相手先のファクシミリ装置３に登録されているファクス番号）と、受信許可リスト７０に登録されている受信許可ファクス番号７１１〜７１ｎとを照合してファクス番号の一致又は不一致を判定するようにした。
【０１０４】
さらに、ファクシミリ装置３Ａは、受信可否第一判定部２８による判定（第一の判定）と、受信可否第二判定部２９による判定（第二の判定）のうち、少なくともどちらか一方で、ファクス番号が一致すると判定された場合（つまり相手先のファクシミリ装置３の通知ファクス番号と登録ファクス番号のうちの少なくともどちらか一方が受信許可リスト７０に登録されている場合であり、図８に示すステップＳＰ１５で肯定結果を得た場合もしくはステップＳＰ１８で肯定結果を得た場合）には、ファクス通信を継続してファクスを受信するようにした。
【０１０５】
一方で、ファクシミリ装置３Ａは、受信可否第一判定部２８による判定と、受信可否第二判定部２９による判定との両方で、ファクス番号が不一致と判定された場合（つまり相手先のファクシミリ装置３の通知ファクス番号と登録ファクス番号の両方とも受信許可リスト７０に登録されていない場合であり、図８に示すステップＳＰ１８で否定結果を得た場合）には、ファクス通信を終了してファクスの受信を拒否するようにした。
【０１０６】
こうすることで、ファクシミリ装置３Ａでは、例えば、相手先のファクシミリ装置３が、通知ファクス番号と使用ファクス番号とが異なるファクシミリ装置３であったとしても、例えば、このファクシミリ装置の使用ファクス番号（登録ファクス番号と同一のファクス番号）が受信許可リスト７０に登録されていれば、このファクシミリ装置３からファクスの受信が可能となる。
【０１０７】
これにより、例えば、ＰＢＸ４に収容されているファクシミリ装置３Ｂのように、受信許可リスト７０に登録されている使用ファクス番号（例えば「２２２２」）とは異なる発信専用のファクス番号（例えば「８８８８」）が通知ファクス番号として通知されてくるファクシミリ装置３に対しても、発信専用のファクス番号を調べて受信許可リスト７０に登録するような面倒な作業をユーザに強いることなく、ファクスの受信が可能となる。かくして、ファクシミリ装置３Ａは、ユーザの意図に反してファクスの受信を拒否してしまう状況を極力回避することができる。
【０１０８】
またファクシミリ装置３Ａは、受信可否第一判定部２８による判定で、ファクス番号が不一致と判定された場合（つまり通知ファクス番号が受信許可リスト７０に登録されていない場合）、受信可否第三判定部３０が、通知ファクス番号と、受信拒否リスト８０に登録されている受信拒否ファクス番号８１１〜８１ｎとを照合してファクス番号の一致又は不一致を判定するようにした。
【０１０９】
そしてファクシミリ装置３Ａは、受信可否第三判定部３０による判定（第三の判定）で、ファクス番号が一致と判定された場合（つまり通知ファクス番号が受信拒否リスト８０に登録されている場合であり、図７に示すステップＳＰ８で肯定結果を得た場合）には、相手先のファクシミリ装置３とファクス通信を行う前に、ファクスの受信を拒否するようにした。こうすることで、ファクシミリ装置３Ａは、相手先のファクシミリ装置３の通知ファクス番号が受信拒否リスト８０に登録されている場合には、迅速にファクスの受信を拒否することができる。
【０１１０】
さらにファクシミリ装置３Ａは、受信可否第一判定部２８による判定と、受信可否第二判定部２９による判定との両方で、ファクス番号が不一致と判定された場合、ファクス通信を終了してファクスの受信を拒否するとともに、このときの通知ファクス番号（ナンバーディスプレイにより通知された相手先のファクシミリ装置３のファクス番号）を自動的に受信拒否リスト８０に登録するようにした。こうすることで、以降、同一のファクシミリ装置３から着信があった場合、通知ファクス番号をもとにファクスの受信を拒否することができる。
【０１１１】
さらにファクシミリ装置３Ａは、ファクス通信を継続してファクスを受信したときの受信履歴情報５１には、通信結果情報５９として通信成功（ＯＫ）を示すコード情報を格納するようにした。一方で、ファクシミリ装置３Ａは、ファクスの受信を拒否したときの受信履歴情報５１には、通信結果情報５９として通信失敗（ＮＧ）を示すコード情報を格納するようにした。つまり、ファクス通信を継続してファクスを受信したときの受信履歴情報５１と、ファクスの受信を拒否したときの受信履歴情報５１とでは、通信結果情報５９が異なるようにした。
【０１１２】
そしてファクシミリ装置３Ａは、受信履歴一覧画面Ｓｃ４に、受信履歴情報５１の概要となる受信履歴概要情報Ｓｉを一覧表示する際、通信結果情報５９をもとに、ファクスを受信したときの受信履歴と、ファクスを拒否するなどして受信しなかったときの受信履歴とで、表示内容が異なるようにして（つまり「ＯＫ」、「ＮＧ」により表示内容が異なるようにして）一覧表示するようにした。これにより、ユーザは、受信履歴一覧画面Ｓｃ４に表示されている受信履歴概要情報Ｓｉを参照することで、どの受信履歴がファクスを拒否したものなのかを容易に確認することができる。
【０１１３】
さらにファクシミリ装置３Ａは、ファクス通信を継続してファクスを受信する際に、相手先のファクシミリ装置３の通知ファクス番号と登録ファクス番号とが一致していない場合（つまり図８に示すステップＳＰ１６で否定結果を得た場合、及びステップＳＰ１８で肯定結果を得た場合であり、通知ファクス番号と登録ファクス番号のどちらか一方は受信許可リスト７０に登録されていない場合）には、このとき受信したファクスが迷惑ファクスの可能性がある旨を示す警告フラグ６０を、このときのファクス受信に対応する受信履歴情報５１にセットするようにし、相手先のファクシミリ装置３の通知ファクス番号と登録ファクス番号とが一致している場合（つまり図８に示すステップＳＰ１６で肯定結果を得た場合であり、通知ファクス番号と登録ファクス番号の両方が受信許可リスト７０に登録されている場合）には、警告フラグ６０をセットしないようにした。
【０１１４】
そしてファクシミリ装置３Ａは、受信履歴一覧画面Ｓｃ４に、受信履歴情報５１の概要となる受信履歴概要情報Ｓｉを一覧表示する際、警告フラグ６０をもとに、受信したファクスが迷惑ファクスの可能性があるかどうかで、表示内容が異なるようにして（つまり「！」の有無により表示内容が異なるようにして）一覧表示するようにした。これにより、ユーザは、受信履歴一覧画面Ｓｃ４に表示されている受信履歴概要情報Ｓｉを参照することで、どの受信履歴が迷惑ファクスの可能性があるものなのかを容易に確認することができる。
【０１１５】
さらにファクシミリ装置３Ａは、受信履歴一覧画面Ｓｃ４に表示している受信履歴概要情報Ｓｉのうちの１つがユーザにより選択されると、受信履歴詳細画面Ｓｃ５に、選択された受信履歴概要情報Ｓｉに対応する受信履歴情報５１の詳細となる受信履歴詳細情報Ｄｉを表示するようにした。このとき、ファクシミリ装置３Ａは、受信履歴詳細画面Ｓｃ５に、受信履歴詳細情報Ｄｉに含まれている相手先のファクシミリ装置３の通知ファクス番号Ｄ１０と登録ファクス番号Ｄ１１とを比較可能な状態で表示（つまり並べて表示）するようにした。これにより、ユーザは、ファクスの発信元である相手先のファクシミリ装置３が、通知ファクス番号と登録ファクス番号とが異なるファクシミリ装置３であるか容易に確認できる。
【０１１６】
さらにファクシミリ装置３Ａは、受信履歴詳細画面Ｓｃ５に、迷惑ファクスの可能性があるファクスを受信したときの受信履歴詳細情報Ｄｉを表示している状態で、この受信履歴詳細情報Ｄｉに含まれている通知ファクス番号Ｄ１０を受信拒否リスト８０に登録する操作がユーザにより行われると、この通知ファクス番号Ｄ１０を受信拒否リスト８０に追加登録するようにした。これにより、ユーザは、迷惑ファクスの可能性があるファクスを受信したときの受信履歴情報５１を確認したうえで、この受信履歴情報５１に含まれている通知ファクス番号Ｄ１０を、受信拒否リスト８０に容易に登録することができる。この結果、ファクシミリ装置３Ａでは、以降、この通知ファクス番号Ｄ１０が通知されてくるファクシミリ装置３からの迷惑ファクスを拒否することができる。
【０１１７】
［７．他の実施の形態］
［７−１．他の実施の形態１］
尚、上述した実施の形態では、ファクシミリ装置３Ａが、受信履歴一覧画面Ｓｃ４に、受信履歴概要情報Ｓｉのリストを表示するようにした。また、受信履歴詳細画面Ｓｃ５に、１通信分の受信履歴詳細情報Ｄｉを表示するようにした。ここで、ファクシミリ装置３Ａの印刷制御部２４が印刷装置１４を制御して、受信履歴概要情報Ｓｉのリストを印刷媒体に印刷するようにしてもよい。この場合、印刷媒体には、受信履歴概要情報Ｓｉが、ファクスを受信したときの受信履歴と、ファクスを拒否するなどして受信しなかったときの受信履歴とで印刷内容が異なるようにして、且つ受信したファクスが迷惑ファクスの可能性があるかどうかで印刷内容が異なるようにして印刷される。また、ファクシミリ装置３Ａの印刷制御部２４が印刷装置１４を制御して、受信履歴詳細情報Ｄｉを印刷媒体に印刷するようにしてもよい。
【０１１８】
［７−２．他の実施の形態２］
また、上述した実施の形態では、ファクシミリ装置３Ａが、受信したファクスが迷惑ファクスの可能性がある場合に、その旨を示す警告フラグ６０を、このときのファクス受信に対応する受信履歴情報５１にセットするようにした。これに限らず、このときのファクス（つまり迷惑ファクスの可能性があるファクス）の画像を、印刷装置１４が印刷媒体に印刷する際に、印刷制御部２４が印刷装置１４を制御して、この印刷媒体に迷惑ファクスの可能性がある旨を示す文字情報（例えば「迷惑ファクスの可能性があります。確認してください」）を印刷するようにしてもよい。このようにすれば、ユーザは、ファクスの画像が印刷された印刷媒体を見て、このファクスが迷惑ファクスの可能性があることを容易に認識できる。尚、このように、印刷媒体にファクスの画像と、迷惑ファクスの可能性がある旨を示す文字情報との両方を印刷する場合、この文字情報を、ファクスの画像に重ならないよう、印刷媒体の縁に印刷することが望ましい。
【０１１９】
［７−３．他の実施の形態３］
さらに、上述した実施の形態では、発信番号通知サービスとして、通知ファクス番号情報としてのＮＤ情報によって相手先のファクシミリ装置３の通知ファクス番号を通知するようにしたナンバーディスプレイを利用した。これに限らず、ナンバーディスプレイと同様に、通知ファクス番号情報によって相手先のファクシミリ装置３の通知ファクス番号を通知できるサービスがあれば、そのサービスを利用してもよい。
【０１２０】
さらに、上述した実施の形態では、ファクシミリ装置３Ａが、ファクス通信時に、相手先のファクシミリ装置３から登録ファクス番号情報としてのＴＳＩ情報を受信して、このＴＳＩ情報から相手先のファクシミリ装置３に登録されている登録ファクス番号を取得するようにした。これに限らず、例えば、相手先のファクシミリ装置３から、ＴＳＩ情報とは異なる登録ファクス番号情報が送信されてくるような場合には、この登録ファクス番号情報から登録ファクス番号を取得するようにしてもよい。
【０１２１】
［７−４．他の実施の形態４］
さらに、上述した実施の形態では、ナンバーディスプレイに対応するファクシミリ装置３Ａに本発明を適用した。これに限らず、ナンバーディスプレイなどの発信番号通知サービスに対応する様々なファクシミリ装置に適用できる。また、発信番号通知サービスに対応するファクシミリ機能を有する複合機などにも適用できる。
【０１２２】
［７−５．他の実施の形態５］
さらに、上述した実施の形態では、ファクシミリ装置３Ａに、通知ファクス番号情報としてのＮＤ情報及び登録ファクス番号情報としてのＴＳＩ情報を受信する受信部の具体例として、通信装置１５を設けたが、これに限らず、通信装置１５と同様に機能するものであれば、通信装置１５とは異なる受信部を設けるようにしてもよい。さらに、上述した実施の形態では、ファクシミリ装置３Ａに、受信許可リスト７０及び受信拒否リスト８０を記憶する記憶部の具体例として、ＲＡＭ１２を設けたが、これに限らず、フラッシュメモリ、ハードディスク、メモリカードなどを記憶部として設けるようにしてもよい。
【０１２３】
さらに、上述した実施の形態では、ファクシミリ装置３Ａに、表示部の具体例として、操作表示装置１６を設けたが、これに限らず、操作表示装置１６とは異なる表示部（例えばタッチパネルなど）を設けてもよい。さらに、上述した実施の形態では、ファクシミリ装置３Ａに、印刷部の具体例として、印刷装置１４を設けたが、これに限らず、印刷媒体に印刷可能なものであれば、印刷装置１４とは異なる印刷部を設けてもよい。
【０１２４】
［７−６．他の実施の形態６］
さらに、本発明は、上述した各実施の形態に限定されるものではない。すなわち本発明は、上述した実施の形態と他の実施の形態の一部または全部を任意に組み合わせた実施の形態や、一部を抽出した実施の形態にもその適用範囲が及ぶものである。
【産業上の利用可能性】
【０１２５】
本発明は、ナンバーディスプレイなどの発信番号通知サービスに対応するファクシミリ装置で広く利用することができる。
【符号の説明】
【０１２６】
１……ファクシミリシステム、２……公衆電話網、３Ａ、３Ｂ、３Ｃ、３Ｄ……ファクシミリ装置、４……ＰＢＸ、１０……ＣＰＵ、１２……ＲＡＭ、１４……印刷装置、１５……通信装置、１６……操作表示装置、２０……制御部、２１……システム制御部、２２……操作表示制御部、２４……印刷制御部、２５……ファクシミリ制御部、２６……呼び出し信号検出部、２７……ＮＤ情報受信部、２８……受信可否第一判定部、２９……受信可否第二判定部、３０……受信可否第三判定部、５０……通信履歴、５１……受信履歴情報、５９、Ｄ４、Ｄ１６……通信結果情報、６０、Ｄ１……警告フラグ、７０……受信許可リスト、７１……受信許可ファクス番号、８０……受信拒否リスト、８１……受信拒否ファクス番号、Ｓｃ４……受信履歴一覧画面、Ｓｃ５……受信履歴詳細画面、Ｓｉ……受信履歴概要情報、Ｄｉ……受信履歴詳細情報、Ｄ１８……警告情報。
【図１】
2020072353.tif 000003
【図２】
2020072353.tif 000004
【図３】
2020072353.tif 000005
【図４】
2020072353.tif 000006
【図５】
2020072353.tif 000007
【図６】
2020072353.tif 000008
【図７】
2020072353.tif 000009
【図８】
2020072353.tif 000010
【図９】
2020072353.tif 000011
【図１０】
2020072353.tif 000012
【図１１】
2020072353.tif 000013
【図１２】
2020072353.tif 000014